(57)【要約】      （修正有）【課題】キーホルダー等に取り付けて簡便に持ち運びでき、安全かつ確実に少数のコインを保持でき、コインを容易に取り出すことができるコインフォルダーを提供する。【解決手段】裏板の表面に、１個の扇形の突起部１１ａを有する表板１１を締結手段１４，１４で固定し、コイン収納用のポケット１３と開口部１３ａを構成する。【選択図】図１
0003168470.tif 000002
【実用新案登録請求の範囲】
【請求項１】
裏板の表面に、１個又は２個以上の突起部を有する表板を固定して、１個又は２個以上のコイン収納用のポケットと開口部を構成し、前記ポケットにコインの半分以上を収納可能にしたコインフォルダー。
【請求項２】
裏板の表面に、１個の扇形の突起部を有する表板を固定して、コイン収納用のポケットと開口部を構成し、前記ポケットにコインの半分以上を収納可能にしたコインフォルダー。
【請求項３】
１枚の裏板の両面に、１個の扇形の突起部を有する同形の表板２枚をそれぞれ固定して、コイン収納用のポケットと開口部を構成し、かつ前記開口部が互いに反対方向を向くように配置し、前記ポケットにコインの半分以上を収納可能としたコインフォルダー。
【考案の詳細な説明】
【技術分野】
【０００１】
本考案は、簡易なコインフォルダーに関するものであり、特に少数のコインをキーホルダー等に付帯して持ち運びやすく、かつコインを取り出しやすいコインフォルダーに関する。
【背景技術】
【０００２】
従来より、コインを簡便に持ち歩くためのコインフォルダーが提案されていた。例えば特許文献１に示す携帯用コイン入れは、柔軟な材料で形成された基台における縁部には種々のコインに適合する、種々の大きさの略円形状切欠部を複数個形成し、これらの略円形状切欠部上には、その縁部側を露出させた状態で当該各略円形状切欠部を覆う柔軟な材料で形成された被覆片を取り付けたものである。
【先行技術文献】
【特許文献】
【０００３】
【特許文献１】実用新案登録第３０１７５７４号公報
【０００４】
前記特許文献１に示す携帯用コイン入れは、コインを種類別に分類し整列した状態で取り出し容易に収納することができるが、構造が複雑であり製造に手間がかかる上、１枚あるいは少数のコインを簡便に持ち運ぶことができなかった。
【考案の概要】
【考案が解決しようとする課題】
【０００５】
本考案は前記のような従来のコイン入れの問題点を解決するもので、キーホルダー等に取り付けて簡便に持ち運びできるため、財布を忘れたとき等に便利であり、かつコインの使用に際しても、容易にコインを取り出すことができるコインフォルダーを提供することを目的とするものである。
【課題を解決するための手段】
【０００６】
本考案は、裏板の表面に、１個又は２個以上の突起部を有する表板を固定して、１個又は２個以上のコイン収納用のポケットと開口部を構成し、前記ポケットにコインの半分以上を収納可能にしたコインフォルダーである。
【０００７】
本考案は、裏板の表面に、１個の扇形の突起部を有する表板を固定して、コイン収納用のポケットと開口部を構成し、前記ポケットにコインの半分以上を収納可能にしたコインフォルダーである。
【０００８】
本考案は、１枚の裏板の両面に、１個の扇形の突起部を有する同形の表板２枚をそれぞれ固定して、コイン収納用のポケットと開口部を構成し、かつ前記開口部が互いに反対方向を向くように配置し、前記ポケットにコインの半分以上を収納可能としたコインフォルダーである。
【考案の効果】
【０００９】
請求項１の考案によれば、１個又は２個以上のコイン収納用のポケットと開口部を構成し、前記ポケットにコインの半分以上を収納可能にしたから、構成が簡単でありながら安全かつ確実にコインを保持して、簡易に携帯でき、同時にコインの取り出しも容易に行える等の効果を奏する。
【００１０】
請求項２の考案によれば、１個のコイン収納用のポケットと開口部を構成し、前記ポケットにコインの半分以上を収納可能にしたから、１個のコインを確実に保持して、安全に携帯できると共に、取り出し時にもコインをスムーズに取り出すことができる。
【００１１】
請求項３の考案によれば、１枚の裏板の両面に表板２枚を固定して、コイン収納用のポケットと開口部がそれぞれ反対方向を向くように構成し、前記ポケットにコインの半分以上を収納可能にしたから、同種又は異種の２個のコインを同時に確実に保持して、安全に携帯できると共に、取り出し時にもコインをスムーズに取り出すことができる。
【図面の簡単な説明】
【００１２】
【図１】本考案の実施形態１の正面図
【図２】本考案の実施形態１のコインを収納していない状態の平面図
【図３】本考案の実施形態１の左側面図
【図４】本考案の実施形態１のI−I線断面図
【図５】本考案の実施形態１の使用態様図
【図６】本考案の実施形態１の他例の正面図
【図７】本考案の実施形態２の正面図
【図８】本考案の実施形態２の左側面図
【図９】本考案の実施形態２のII−II線断面図
【図１０】本考案の実施形態３の正面図
【図１１】本考案の実施形態３の左側面図
【図１２】本考案の実施形態４の正面図
【図１３】本考案の実施形態４の左側面図
【図１４】本考案の実施形態５の一部省略した正面図
【図１５】本考案の実施形態５の一部省略した左側面図
【図１６】（ａ）アダプターの斜視図と（ｂ）アダプターの使用態様図
【考案を実施するための形態】
【００１３】
図１乃至図４は、本考案の実施形態１を示すものである。
本実施形態のコインフォルダー１は、同大の長方形の表板１１と裏板１２を構成し、表板１１の一部を前方（図３の下方）に突起して突起部１１ａを構成する。
この表板１１と裏板１２を締結手段であるリベット１４，１４で固定して、表板１１と裏板１２の突起部１１ａ間に、５００円硬貨のコインＣを収納可能なポケット１３を構成し、ポケット１３の上端に開口部１３ａを構成する。図中１５は留め具である。
【００１４】
前記リベット１４，１４の固定位置は、コインＣの中心Ｘを通るコインフォルダー１の上端縁１ａと平行な直径Ｌより下方位置（図１の下方）である。そのため、表板１１と裏板１２は確実に固定されると共に、開口部１３ａ側は強く固定されていないから、コインＣを取り出すときには、わずかな力で無理なく取り出すことができるのである。
【００１５】
前記ポケット１３の形状は、図１の正面視で円の上部を切り欠いた扇形であり、コインＣの中心Ｘを通るコインフォルダー１の上端縁１ａと平行な直径Ｌが、前記上端縁１ａより下方に位置している。
従って、コインＣはその半分以上がポケット１３内に収納され、開口部１３ａの幅Ｄ２はポケット１３の最大幅Ｄ１より小さいのである。
【００１６】
この収納状態では、コインＣは表板１１の上端部１１ｂ，１１ｂに押さえられた状態となっているため、ポケット１３より落ちることはない。
コインＣを取り出すときは、コインＣの外部露出部分である掴み部Ｃ１を掴んで少し力を加えて引き抜けば容易に取り出せる。
【００１７】
前記コインＣは、５００円硬貨に限らず他の硬貨を使用できる。この場合ポケット１３の大きさを変更する。
また、前記表板１１と裏板１２の材質は、熱可塑性プラスティックであるが、これに限定されず、ＡＢＳ樹脂、皮革等の材料を選択できる。また、前記リベット１４による固定の他に、カシメ、ハトメ等の締結手段で、表板１１と裏板１２を固定できる。
【００１８】
上記のように構成した実施形態１の作用を説明する。
図１に示すように、コインＣをコインフォルダー１の開口部１３ａより挿入して、ポケット１３内に収納する。この場合、コインＣの約７５％がポケット１３内に収納されて、残部は外部に露出し掴み部Ｃ１となる。そして、コインＣは、表板１１の開口部１３ａの左右に設けた表板１１の上端部１１ｂ，１１ｂに押さえられているためポケット１３から落ちることはなく安全に収納される。
【００１９】
実施形態１は、上記に加えて次のような効果を奏する。
図５に示すように、携帯電話Ｋやキーホルダー、鞄、ポーチのように通常持ち歩く物あるいは上着のジッパーに取り付けて持ち運べるため、コインＣを持ち歩くことを忘れることがない。さらに財布を忘れた場合や急な出費で少し足りない時などにも困ることがない。
【００２０】
また、材質が熱可塑性プラスティックなので耐水性があり、ジョギング、サイクリング、キャンプ、登山などのスポーツやアウトドアでの活動の時に財布を持ち歩く煩わしさから解放される。
【００２１】
更に、コインＣの一部が外部に露出しているためコインＣの残数が一目でわかる。またコインＣを取り付けたままの状態で、コインスクリュードライバーの代用として使用することができる。
【００２２】
図６に本実施形態の他例を示す。
この他例では、前述のコインフォルダー１の上部に蓋部１９を取り付けたものである。
すなわち、コインフォルダー１の上端の角部に設けた支軸１９ｂを介して、蓋部１９を回動自在に取り付ける。蓋部１９の内部は扇形の突起部１９ａが構成されているため、コインＣの掴み部Ｃ１と干渉することなく、コインフォルダー１の開口部１３ａを閉鎖することができる。
この例では、コインＣが外部から見えないというメリットがあり、内部にコインＣがあるかどうかは、表板１１に穿設した孔１１ｃより確かめることができる。また蓋部１９の効果として、コインＣがポケット１３より脱落することを防止するため、ポケットの形状を扇形に限らず方形等の任意の形状とすることができる。その他の効果は、前述の実施形態１と同様のため説明を省略する。
【００２３】
次に本考案の実施形態２を図７乃至図９に基づいて説明する。
本実施形態のコインフォルダー２は、前記実施形態１のコインフォルダー１の裏板１２に別の表板１１を、開口部１３ａが互いに反対方向になるように固定したものである。すなわち、裏板１２を共通にして、裏板１２と同大の２枚の表板１１を固定したものである。
実施形態１と同一の構成は、同一の番号を付して説明を省略する。
【００２４】
上記のように構成した実施形態２は、作用及び効果は実施形態１と同様であるため説明を省略するが、２枚のコインＣを同時に携帯できるため、多くの金額を保持できる。さらにコインの種類を変えて、例えば５００円と１０円とすれば公衆電話の使用時に便利である。このようにコインの大きさを変更するときには、一方の表板１１の突起部１１ａの大きさを変更すれば良く、あるいは後述のようにアダプター９０を使用することもできる。
【００２５】
本考案の実施形態３を図１０及び図１１に基づいて説明する。
本実施形態のコインフォルダー３は、基本的な技術的思想は前記実施形態１のコインフォルダー１と同様であるが、表板と裏板の形状を円板としている。この円板状の表板１１と裏板１２に１２０度ごとに３個のポケット１３を構成し、この中にコインＣを収納し、コインＣの掴み部Ｃ１をコインフォルダー１の周縁１ｂより突出させたものである。
【００２６】
上記のように構成した実施形態３は、実施形態１と同一の構成は同一の番号を付して説明を省略し、作用及び効果は実施形態１と同様であるため説明を省略するが、特に３枚のコインＣを同時に収納できるというメリットがある。そのため、多くの金額を保持できると共に、コインの種類を変えて、例えば５００円と１００円、１０円とすれば、多目的な使用が可能となる。
【００２７】
次に本考案の実施形態４を図１２及び図１３に基づいて説明する。
本実施形態のコインフォルダー４は、前記実施形態２のコインフォルダー２を上下に連続して構成し、合計で４個のコインＣを収納できるようにしたものである。従って、実施形態２と同一の構成は、同一の番号を付して説明を省略する。
【００２８】
上記のように構成した実施形態４は、作用及び効果は実施形態２と同様であるため説明を省略するが、４枚のコインＣを同時に携帯できるというメリットがある。そのため多くの金額を保持できると共に、コインの種類を変えて、多目的な使用が可能となる。
【００２９】
次に本考案の実施形態５を図１４及び図１５に基づいて説明する。
本実施形態のコインフォルダー５は、前記実施形態２のコインフォルダー２を、連続して任意の数構成し、複数のコインＣを収納できるようにしたものである。
従って、実施形態２と同一の構成は、同一の番号を付して説明を省略する。
【００３０】
上記のように構成した実施形態５は、作用及び効果は実施形態２と同様であるため説明を省略するが、多数のコインＣを同時に携帯できる。そのため、多くの金額を保持できると共に、コインの種類を変えて、多目的な使用が可能となる。
【００３１】
図１６は、アダプター９０の説明図である。
アダプター９０は、５００円硬貨と同大のリング状であり、図１６（ｂ）に示すように、内部に１００円硬貨を嵌合することで５００円硬貨と同じ大きさになるから、この状態で５００円硬貨用のポケット１３に収納できる。
すなわちポケットが５００円硬貨の大きさの場合でも、このアダプター９０を使用することで、それより径の小さい硬貨も確実に収納できるのである。
【符号の説明】
【００３２】
Ｃ      コイン
Ｃ１    コインの掴み部  
Ｌ      直径
Ｄ１    ポケットの最大幅
Ｄ２    開口部の幅
１    コインフォルダー 
１１    表板
１１ａ  突起部
１２    裏板
１３    ポケット
１３ａ  開口部
１４    締結手段（リベット）
１５    留め具
９０    アダプター
【図１】
0003168470.tif 000003
【図２】
0003168470.tif 000004
【図３】
0003168470.tif 000005
【図４】
0003168470.tif 000006
【図５】
0003168470.tif 000007
【図６】
0003168470.tif 000008
【図７】
0003168470.tif 000009
【図８】
0003168470.tif 000010
【図９】
0003168470.tif 000011
【図１０】
0003168470.tif 000012
【図１１】
0003168470.tif 000013
【図１２】
0003168470.tif 000014
【図１３】
0003168470.tif 000015
【図１４】
0003168470.tif 000016
【図１５】
0003168470.tif 000017
【図１６】
0003168470.tif 000018
【手続補正書】
【提出日】平成23年4月4日(2011.4.4)
【手続補正１】
【補正対象書類名】実用新案登録請求の範囲
【補正対象項目名】全文
【補正方法】変更
【補正の内容】
【実用新案登録請求の範囲】
【請求項１】
裏板の表面に、１個又は２個以上のコイン収納用のポケットを形成するための突起部を有する表板を固定し、
前記裏板と前記表板とにより１個又は２個以上のコイン収納用のポケットを構成し、
前記コイン収納用のポケットの一部をコイン取出し可能な開口部としたコインフォルダー。
【請求項２】
裏板の表面に、１個のコイン収納用のポケットを形成するための扇形の突起部を有する表板を固定し、
前記裏板と前記表板とにより１個のコイン収納用のポケットを構成し、
前記コイン収納用のポケットの一部をコイン取出し可能な開口部としたコインフォルダー。
【請求項３】
１枚の裏板の両面に、１個のコイン収納用のポケットを形成するための扇形の突起部を有する同形の表板２枚をそれぞれ固定し、
中板となる前記裏板と前記２枚の表板とにより、裏板の両面に１個ずつのコイン収納用のポケットを構成し、
前記コイン収納用のポケットの一部をコイン取出し可能な開口部とし、
前記開口部が互いに反対方向を向くように配置したコインフォルダー。
【手続補正２】
【補正対象書類名】明細書
【補正対象項目名】０００６
【補正方法】変更
【補正の内容】
【０００６】
本考案は、裏板の表面に、１個又は２個以上のコイン収納用のポケットを形成するための突起部を有する表板を固定し、前記裏板と前記表板とにより１個又は２個以上のコイン収納用のポケットを構成し、前記コイン収納用のポケットの一部をコイン取出し可能な開口部としたコインフォルダーである。
【手続補正３】
【補正対象書類名】明細書
【補正対象項目名】０００７
【補正方法】変更
【補正の内容】
【０００７】
本考案は、裏板の表面に、１個のコイン収納用のポケットを形成するための扇形の突起部を有する表板を固定し、前記裏板と前記表板とにより１個のコイン収納用のポケットを構成し、前記コイン収納用のポケットの一部をコイン取出し可能な開口部としたコインフォルダーである。
【手続補正４】
【補正対象書類名】明細書
【補正対象項目名】０００８
【補正方法】変更
【補正の内容】
【０００８】
本考案は、１枚の裏板の両面に、１個のコイン収納用のポケットを形成するための扇形の突起部を有する同形の表板２枚をそれぞれ固定し、中板となる前記裏板と前記２枚の表板とにより、裏板の両面に１個ずつのコイン収納用のポケットを構成し、前記コイン収納用のポケットの一部をコイン取出し可能な開口部とし、前記開口部が互いに反対方向を向くように配置したコインフォルダーである。